【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
ユーザ端末に対して協調マルチポイント送信を適用する無線基地局装置であって、
レートマッチングパターンがビットデータに関連付けられて規定されたテーブルに基づいて、所定のビットデータを含む下りリンク制御情報を生成する生成部と、
前記下りリンク制御情報を含む物理下りリンク制御チャネルと、物理下りリンク共有チャネルとを送信する送信部と、を具備することを特徴とする無線基地局装置。
【請求項２】
前記テーブルは、ＭＢＳＦＮ（ＭＢＭＳ  Ｓｉｎｇｌｅ  Ｆｒｅｑｕｅｎｃｙ  Ｎｅｔｗｏｒｋ）サブフレームのフレーム構成に応じたレートマッチングパターンを含むことを特徴とする請求項１に記載の無線基地局装置。
【請求項３】
前記レートマッチングパターンは、物理下りリンク共有チャネル（ＰＤＳＣＨ）が割り当てられるＲＥ（Ｒｅｓｏｕｒｃｅ  Ｅｌｅｍｅｎｔ）に関する情報を含むことを特徴とする請求項１又は請求項２に記載の無線基地局装置。
【請求項４】
前記送信部は、前記テーブルの情報を上位レイヤシグナリングで前記ユーザ端末に送信することを特徴とする請求項１から請求項３のいずれかに記載の無線基地局装置。
【請求項５】
前記テーブルは、物理下りリンク制御チャネルが割り当てられるリソースを持たないキャリアタイプのサブフレームのフレーム構成に応じたレートマッチングパターンを含むことを特徴とする請求項１に記載の無線基地局装置。
【請求項６】
協調マルチポイント送信を適用する無線基地局装置から送信される物理下りリンク制御チャネルと物理下りリンク共有チャネルを受信する受信部と、
前記物理下りリンク制御チャネルを用いて送信される下りリンク制御情報に含まれる特定のビットデータに基づいて所定のレートマッチングパターンを特定する判定部と、を具備し、
前記判定部は、複数のレートマッチングパターンがビットデータに関連付けられて規定されたテーブルを用いて前記所定のレートマッチングパターンを特定することを特徴とするユーザ端末。
【請求項７】
前記テーブルは、ＭＢＳＦＮ（ＭＢＭＳ  Ｓｉｎｇｌｅ  Ｆｒｅｑｕｅｎｃｙ  Ｎｅｔｗｏｒｋ）サブフレームのフレーム構成に応じたレートマッチングパターンを含むことを特徴とする請求項６に記載のユーザ端末。
【請求項８】
前記レートマッチングパターンは、物理下りリンク共有チャネル（ＰＤＳＣＨ）が割り当てられるＲＥ（Ｒｅｓｏｕｒｃｅ  Ｅｌｅｍｅｎｔ）に関する情報を含むことを特徴とする請求項６又は請求項７に記載のユーザ端末。
【請求項９】
前記受信部は、前記テーブルの情報を上位レイヤシグナリングで受信することを特徴とする請求項６から請求項８のいずれかに記載のユーザ端末。
【請求項１０】
ユーザ端末に対して協調マルチポイント送信を適用する無線基地局装置の無線通信方法であって、
レートマッチングパターンがビットデータに関連付けられて規定されたテーブルに基づいて、所定のビットデータを含む下りリンク制御情報を生成する工程と、
前記下りリンク制御情報を含む物理下りリンク制御チャネルと、物理下りリンク共有チャネルとを送信する工程と、を具備することを特徴とする無線通信方法。
【請求項１１】
前記テーブルは、ＭＢＳＦＮ（ＭＢＭＳ  Ｓｉｎｇｌｅ  Ｆｒｅｑｕｅｎｃｙ  Ｎｅｔｗｏｒｋ）サブフレームのフレーム構成に応じたレートマッチングパターンを含むことを特徴とする請求項１０に記載の無線通信方法。
【請求項１２】
前記レートマッチングパターンは、物理下りリンク共有チャネル（ＰＤＳＣＨ）が割り当てられるＲＥ（Ｒｅｓｏｕｒｃｅ  Ｅｌｅｍｅｎｔ）に関する情報を含むことを特徴とする請求項１０又は請求項１１に記載の無線通信方法。
【請求項１３】
ユーザ端末と、前記ユーザ端末に対して協調マルチポイント送信を適用する無線基地局装置と、を有する無線通信システムであって、
前記無線基地局装置は、レートマッチングパターンがビットデータに関連付けられて規定されたテーブルに基づいて、所定のビットデータを含む下りリンク制御情報を生成する生成部と、前記下りリンク制御情報を含む物理下りリンク制御チャネルと、物理下りリンク共有チャネルとを送信する送信部と、を具備し、
前記ユーザ端末は、前記下りリンク制御情報に含まれる特定のビットデータ及び前記テーブルに基づいて所定のレートマッチングパターンを特定する判定部と、を具備することを特徴とする無線通信システム。
【請求項１４】
前記テーブルは、ＭＢＳＦＮ（ＭＢＭＳ  Ｓｉｎｇｌｅ  Ｆｒｅｑｕｅｎｃｙ  Ｎｅｔｗｏｒｋ）サブフレームのフレーム構成に応じたレートマッチングパターンを含むことを特徴とする請求項１３に記載の無線通信システム。
【請求項１５】
前記レートマッチングパターンは、物理下りリンク共有チャネル（ＰＤＳＣＨ）が割り当てられるＲＥ（Ｒｅｓｏｕｒｃｅ  Ｅｌｅｍｅｎｔ）に関する情報を含むことを特徴とする請求項１３又は請求項１４に記載の無線通信システム。
【手続補正２】
【補正対象書類名】明細書
【補正対象項目名】発明の名称
【補正方法】変更
【補正の内容】
【発明の名称】無線通信システム、無線基地局装置、ユーザ端末及び無線通信方法
【手続補正３】
【補正対象書類名】明細書
【補正対象項目名】００１２
【補正方法】変更
【補正の内容】
【００１２】
本発明の無線通信システムは、ユーザ端末と、前記ユーザ端末に対して協調マルチポイント送信を適用する無線基地局装置と、を有する無線通信システムであって、前記無線基地局装置は、レートマッチングパターンがビットデータに関連付けられて規定されたテーブルに基づいて、所定のビットデータを含む下りリンク制御情報を生成する生成部と、前記下りリンク制御情報を含む物理下りリンク制御チャネルと、物理下りリンク共有チャネルとを送信する送信部と、を具備し、前記ユーザ端末は、前記下りリンク制御情報に含まれる特定のビットデータ及び前記テーブルに基づいて所定のレートマッチングパターンを特定する判定部と、を具備することを特徴とする。
【手続補正４】
【補正対象書類名】明細書
【補正対象項目名】００１３
【補正方法】変更
【補正の内容】
【００１３】
本発明の無線基地局装置は、ユーザ端末に対して協調マルチポイント送信を適用する無線基地局装置であって、レートマッチングパターンがビットデータに関連付けられて規定されたテーブルに基づいて、所定のビットデータを含む下りリンク制御情報を生成する生成部と、前記下りリンク制御情報を含む物理下りリンク制御チャネルと、物理下りリンク共有チャネルとを送信する送信部と、を具備することを特徴とする。
【手続補正５】
【補正対象書類名】明細書
【補正対象項目名】００１４
【補正方法】変更
【補正の内容】
【００１４】
本発明のユーザ端末は、協調マルチポイント送信を適用する無線基地局装置から送信される物理下りリンク制御チャネルと物理下りリンク共有チャネルを受信する受信部と、前記物理下りリンク制御チャネルを用いて送信される下りリンク制御情報に含まれる特定のビットデータに基づいて所定のレートマッチングパターンを特定する判定部と、を具備し、前記判定部は、複数のレートマッチングパターンがビットデータに関連付けられて規定されたテーブルを用いて前記所定のレートマッチングパターンを特定することを特徴とする。
【手続補正６】
【補正対象書類名】明細書
【補正対象項目名】００１５
【補正方法】変更
【補正の内容】
【００１５】
本発明の無線通信方法は、ユーザ端末に対して協調マルチポイント送信を適用する無線基地局装置の無線通信方法であって、レートマッチングパターンがビットデータに関連付けられて規定されたテーブルに基づいて、所定のビットデータを含む下りリンク制御情報を生成する工程と、前記下りリンク制御情報を含む物理下りリンク制御チャネルと、物理下りリンク共有チャネルとを送信する工程と、を具備することを特徴とする。